(57)【特許請求の範囲】
【請求項１】
屋外の床面に設置されてドレインホースからのドレイン水を受けて流して排水するための、ドレイン排水溝部材において、
ドレイン水を流すための長手方向に延びた排水路、を有する通水部材と、
該排水路を上方から塞ぐための平板状の蓋部材と、からなっており、
蓋部材が、通水部材に対して、長手方向にスライドして脱着可能となっており、
排水路が、底部と両側部とで構成されており、
蓋部材が、その両縁部を排水路の上記両側部に形成された溝部に挿入することによって、通水部材に対してスライドするようになっており、
溝部が、水平に形成されており、
溝部を構成している上側の内向き突出部が、溝部に挿入された蓋部材の縁部を上から保持していることを特徴とするドレイン排水溝部材。
【請求項２】
排水路の上記側部から内向きに突出した突出部が、形成されており、
上記突出部の少なくとも一部が、蓋部材の下面に当接している、請求項１記載のドレイン排水溝部材。
【請求項３】
排水路が、底部と両側部とで構成されており、
上記底部が、上向きに突出した複数のリブを有している、請求項１記載のドレイン排水溝部材。
【請求項４】
蓋部材の表面に、長手方向に延びた複数の凸部が形成されている、請求項１記載のドレイン排水溝部材。
【請求項５】
蓋部材の裏面に、長手方向に延びた複数の凸部が形成されている、請求項１記載のドレイン排水溝部材。
【請求項６】
蓋部材及び通水部材が、蓋部材を通水部材に取り付けた際に両部材の表面が同一面を形成するよう構成されている、請求項１記載のドレイン排水溝部材。
【請求項７】
屋外の床面に設置されてドレインホースからのドレイン水の排水を行うための、ドレイン排水設備において、
ドレインホースからのドレイン水を受けて流して排水するための、ドレイン排水溝部材と、
ドレインホースの出口端部をドレイン排水溝部材に連結するための、ドレイン連結具と、を備えており、
ドレイン排水溝部材が、
ドレイン水を流すための長手方向に延びた排水路、を有する通水部材と、
該排水路を塞ぐための平板状の蓋部材と、からなっており、
蓋部材が、通水部材に対して、長手方向にスライドして脱着可能となっており、
排水路が、底部と両側部とで構成されており、
蓋部材が、その両縁部を排水路の上記両側部に形成された溝部に挿入することによって、通水部材に対してスライドするようになっており、
溝部が、水平に形成されており、
溝部を構成している上側の内向き突出部が、溝部に挿入された蓋部材の縁部を上から保持しており、
ドレイン連結具が、ドレイン排水溝部材の長手方向の任意の位置にて、通水部材の排水路に連通するよう取り付けられるようになっており、
上記任意の位置が、蓋部材をスライドさせることによって設定されるようになっていることを特徴とするドレイン排水設備。
【請求項８】
ドレイン連結具が、
ドレインホースの出口端部が差し込まれ、ドレイン水をドレイン排水溝部材の排水路に向けて流すようになっている、ホース差込孔部と、
ドレイン排水溝部材に直接取り付けられ、ドレイン排水溝部材の排水路を上方から塞ぐ蓋体を構成する、取付部と、からなり、
ホース差込孔部と取付部とが一体に形成されており、
取付部にて、通水部材に対して、長手方向にスライドして脱着可能となっている、請求項７記載のドレイン排水設備。
【請求項９】
排水路が、底部と両側部とで構成されており、
ホース差込孔部が、パイプからなっており、
取付部が、パイプの下縁から横方向に広がった板体からなっており、
取付部が、その両縁部を排水路の上記両側部に形成された溝部に挿入することによって、通水部材に対してスライドするようになっている、請求項８記載のドレイン排水設備。
【請求項１０】
排水路の上記両側部の上記溝部が、水平に対して傾斜している、請求項９記載のドレイン排水設備。
【請求項１１】
ドレイン排水溝部材として、請求項１乃至請求項６のいずれか１つに記載のドレイン排水溝部材が用いられている、請求項７記載のドレイン排水設備。
【請求項１２】
屋外の床面に設置された、ドレイン排水溝部材及び床材、を備えた屋外床面設備において、
請求項１乃至請求項６のいずれか１つに記載のドレイン排水溝部材が、ドレインホースからのドレイン水を受けて流して排水するよう、屋外の床面に固定されており、
床材が、ドレイン排水溝部材の両側に配置されて屋外の床面に固定され、且つ、その縁部がドレイン排水溝部材の両縁部に接合されていることを特徴とする屋外床面設備。
【請求項１３】
屋外の床面に設置された、ドレイン排水設備及び床材、を備えた屋外床面設備において、
請求項７乃至請求項１１のいずれか１つに記載のドレイン排水設備が、ドレインホースからのドレイン水の排水を行うように、屋外の床面に固定されており、
床材が、ドレイン排水設備のドレイン排水溝部材の両側に配置されて屋外の床面に固定され、且つ、その縁部がドレイン排水溝部材の両縁部に接合されていることを特徴とする屋外床面設備。
【発明の詳細な説明】
【技術分野】
【０００１】
本発明は、ドレイン排水溝部材、ドレイン排水設備、及び屋外床面設備に関するものである。ドレイン排水溝部材は、屋外の床面に設置されてドレインホースからのドレイン水を受けて流して排水するためのものである。ドレイン排水設備は、ドレイン排水溝部材と、ドレインホースの出口端部をドレイン排水溝部材に連結するためのドレイン連結具と、からなるものである。屋外床面設備は、屋外の床面に設置された、ドレイン排水設備及び床材を備えたものであるが、ドレイン連結具を備えない場合もある。
【背景技術】
【０００２】
マンション等の集合住宅の、共通廊下やベランダ等である屋外には、通常、冷暖房機の外機が設置されている。そして、外機からは、ドレインホースを通してドレイン水が排出されている。
【０００３】
ところで、ドレイン水をそのまま屋外の床面に垂れ流すと、ドレイン水が床面に広がっていき、次のような問題が生じる。
（１）ドレイン水の広がった場所に埃や砂等が付着し、床面に、汚れやシミができたりカビが発生したりする。
（２）床面が濡れることによって滑りやすくなるために、転倒事故が発生しやすくなる。
【０００４】
そこで、従来から、ドレイン水の排水対策が採られている。例えば、特許文献１〜３には、ドレインホースからのドレイン水を排水するためのドレイン排水溝部材が、示されている。特許文献１には、溝状の排水路を備えたドレイン排水溝部材が示されている。その排水路は露出したままである。特許文献２には、管状の排水路を備えたドレイン排水溝部材が示されている。また、特許文献２及び３には、溝状の排水路を有する部材に排水路を塞ぐ蓋部材が脱着可能に取り付けられたドレイン排水溝部材が示されている。
【特許文献１】特開平１０−４６７６２号公報
【特許文献２】特開２００１−２８９４５９号公報
【特許文献３】特開２００３−２６２０３５号公報
【発明の開示】
【発明が解決しようとする課題】
【０００５】
特許文献１のドレイン排水溝部材には、次のような問題がある。
（ａ）風によってドレイン水が排水路から溢れ出てしまうので、排水機能を十分に果たすことができない。
（ｂ）排水路に埃や砂等が溜まりやすく、それ故、排水機能が低下しやすい。
（ｃ）排水路による段差のために、利用者が躓きやすく、それ故、安全面において好ましくない。
【０００６】
特許文献２の管状の排水路を備えたドレイン排水溝部材には、次のような問題がある。
（ｄ）長年の使用によって排水路が詰まった場合には、メンテナンスのために、ドレイン排水溝部材を切断するかドレイン排水溝部材を床面から取り外す必要があり、したがって、いずれの場合も、再度、ドレイン排水溝部材を床面に貼着する必要があり、面倒である。
（ｅ）ドレインホースの出口端部を取り付ける位置が、ドレイン排水溝部材の端部近傍に限定されてしまう。
【０００７】
特許文献２及び特許文献３の溝状排水路及び蓋部材を備えたドレイン排水溝部材には、上記（ｅ）に加えて、次のような問題がある。
（ｆ）排水路を有する部材に蓋部材がマジックテープ（登録商標）によって取り付けられた場合には、利用者の通常の歩行によって蓋部材が外れてしまう恐れがある。また、脱着を繰り返すと、マジックテープ（登録商標）が弱まってしまい、蓋部材がより外れやすくなる。
（ｇ）排水路を有する部材に蓋部材が凹凸による嵌合によって取り付けられた場合には、次のような問題がある。
（g1）嵌合をきつくすれば、利用者の通常の歩行によって蓋部材が外れてしまう恐れはなくなるが、蓋部材の脱着が困難となる。
（g2）脱着を繰り返すと、嵌合が弱まってしまい、蓋部材がより外れやすくなる。
（g3）部材の材質によっては、排水路や凸部が経時的に変形してしまい、嵌合が不可能となる恐れがある。
（g4）部材の可撓性が大きいと、嵌合が外れやすくなり、逆に小さいと、嵌合しにくくなる。
（g5）そもそも嵌合作業自体が煩雑である。
【０００８】
更に、従来のドレイン排水溝部材では、床材との間の美的違和感を解消するための工夫が、殆ど施されておらず、また、ドレイン排水溝部材の汚染や劣化に対抗するための工夫も、施されていない。
【０００９】
本発明は、上記のような問題を解消することができるドレイン排水溝部材を提供すること、更には、当該ドレイン排水溝部材を用いた、ドレイン排水設備及び屋外床面設備を、提供することを目的とする。
【課題を解決するための手段】
【００１０】
本願の第１発明は、屋外の床面に設置されてドレインホースからのドレイン水を受けて流して排水するための、ドレイン排水溝部材において、ドレイン水を流すための長手方向に延びた排水路、を有する通水部材と、該排水路を上方から塞ぐための平板状の蓋部材と、からなっており、蓋部材が、通水部材に対して、長手方向にスライドして脱着可能となっており、排水路が、底部と両側部とで構成されており、蓋部材が、その両縁部を排水路の上記両側部に形成された溝部に挿入することによって、通水部材に対してスライドするようになっており、溝部が、水平に形成されており、溝部を構成している上側の内向き突出部が、溝部に挿入された蓋部材の縁部を上から保持していることを特徴としている。
【００１１】
上記第１発明は、更に、次の構成の１つ以上を採用するのが好ましい。
【００１２】
【００１３】
【００１４】
（Ｃ）排水路の上記側部から内向きに突出した突出部が、形成されており、上記突出部の少なくとも一部が蓋部材の下面に当接しているものである。
【００１５】
（Ｄ）排水路が、底部と両側部とで構成されており、上記底部が、取り付けられた蓋部材の裏面に当接する長さだけ突出した、複数のリブを有しているものである。
【００１６】
（Ｅ）蓋部材の表面に、長手方向に延びた複数の凸部が形成されているものである。
【００１７】
（Ｆ）蓋部材の裏面に、長手方向に延びた複数の凸部が形成されているものである。
【００１８】
（Ｇ）蓋部材及び通水部材が、蓋部材を通水部材に取り付けた際に両部材の表面が同一面を形成するよう構成されているものである。
【００１９】
また、上記第１発明は、更に、次の構成の１つ以上を採用してもよい。
【００２０】
（ａ）蓋部材の上記縁部が、上向き及び／又は下向きの凸部を有しており、排水路の上記側部の溝部が、上記凸部が嵌合する、下開き及び／又は上開きの、凹部を有しており、蓋部材の縁部が、凸部を凹部に嵌合させた状態で、溝部に挿入されるようになっているものである。
【００２１】
（ｂ）蓋部材の上記縁部が、上開き及び／又は下開きの凹部を有しており、排水路の上記側部の溝部が、上記凹部に嵌合する、下向き及び／又は上向きの、凸部を有しており、蓋部材の縁部が、凹部に凸部を嵌合させた状態で、溝部に挿入されるようになっているものである。
【００２２】
【００２３】
【００２４】
【００２５】
【００２６】
【００２７】
【００２８】
（ｉ）排水路が、中央の幅狭領域と、その幅狭領域を含む幅広領域と、を有しているものである。
【００２９】
（ｊ）排水路の底面が、両側から中央に向けて漸次低くなっているものである。
【００３０】
（ｋ）上記構成（ｊ）において、排水路の底面が、一段低くなった中央領域を有しているものである。
【００３１】
（ｌ）排水路の内面に、抗菌作用又は防カビ作用を発揮する作用層が形成されているものである。
【００３２】
（ｍ）排水路が、底部と両側部とで構成されており、両側部が、表面に、耐紫外線作用を発揮する作用層を有しているものである。
【００３３】
（ｎ）蓋部材が、１層又は複数層の積層体からなっており、少なくとも化粧層を有しており、表から見て化粧層が見えるよう構成されているものである。
【００３４】
（ｏ）蓋部材が、１層又は複数層の積層体からなっており、最下層に抗菌作用又は防カビ作用を発揮する作用層を有しているものである。
【００３５】
（ｐ）蓋部材が、１層又は複数層の積層体からなっており、最上層に耐紫外線作用を発揮する作用層を有しているものである。
【００３６】
（ｑ）蓋部材が、１層又は複数層の積層体からなっており、最上層に耐紫外線作用を発揮する作用層を有しており、最下層に抗菌作用又は防カビ作用を発揮する作用層を有しているものである。
【００３７】
（ｒ）蓋部材が、複数層の積層体からなっており、第１化粧層及び第２化粧層を有しており、表から見て第１化粧層が見え且つ裏から見て第２化粧層が見えるよう構成されているものである。
【００３８】
（ｓ）蓋部材が、複数層の積層体からなっており、最上層及び最下層に抗菌作用又は防カビ作用を発揮する作用層をそれぞれ有しているものである。
【００３９】
（ｔ）蓋部材が、複数層の積層体からなっており、最上層及び最下層に耐紫外線作用を発揮する作用層をそれぞれ有しているものである。
【００４０】
本願の第２発明は、屋外の床面に設置されてドレインホースからのドレイン水の排水を行うための、ドレイン排水設備において、ドレインホースからのドレイン水を受けて流して排水するための、ドレイン排水溝部材と、ドレインホースの出口端部をドレイン排水溝部材に連結するための、ドレイン連結具と、を備えており、ドレイン排水溝部材が、ドレイン水を流すための長手方向に延びた排水路、を有する通水部材と、該排水路を塞ぐための平板状の蓋部材と、からなっており、蓋部材が、通水部材に対して、長手方向にスライドして脱着可能となっており、排水路が、底部と両側部とで構成されており、蓋部材が、その両縁部を排水路の上記両側部に形成された溝部に挿入することによって、通水部材に対してスライドするようになっており、溝部が、水平に形成されており、溝部を構成している上側の内向き突出部が、溝部に挿入された蓋部材の縁部を上から保持しており、ドレイン連結具が、ドレイン排水溝部材の長手方向の任意の位置にて、通水部材の排水路に連通するよう取り付けられるようになっており、上記任意の位置が、蓋部材をスライドさせることによって設定されるようになっていることを特徴としている。
【００４１】
上記第２発明は、更に、次の構成の１つ以上を採用するのが好ましい。
【００４２】
（Ｈ）ドレイン連結具が、ドレインホースの出口端部が差し込まれ、ドレイン水をドレイン排水溝部材の排水路に向けて流すようになっている、ホース差込孔部と、ドレイン排水溝部材に直接取り付けられ、ドレイン排水溝部材の排水路を上方から塞ぐ蓋体を構成する、取付部と、からなり、ホース差込孔部と取付部とが一体に形成されており、取付部にて、通水部材に対して、長手方向にスライドして脱着可能となっているものである。
【００４３】
（Ｉ）上記構成（Ｈ）において、排水路が、底部と両側部とで構成されており、ホース差込孔部が、パイプからなっており、取付部が、パイプの下縁から横方向に広がった板体からなっており、取付部が、その両縁部を排水路の上記両側部に形成された溝部に挿入することによって、通水部材に対してスライドするようになっているものである。
【００４４】
（Ｊ）上記構成（Ｉ）において、排水路の上記両側部の上記溝部が、水平に対して傾斜しているものである。
【００４５】
（Ｋ）ドレイン排水溝部材が、上記構成（Ｃ）〜（Ｇ）のいずれか１つであるものである。
【００４６】
また、上記第２発明は、更に、次の構成の１つ以上を採用してもよい。
【００４７】
（ｘａ）上記構成（Ｈ）において、排水路が、底部と両側部とで構成されており、ホース差込孔部が、パイプからなっており、取付部が、パイプの下縁から横方向に広がった板体からなっており、取付部が、その両縁部に形成された溝部に排水路の上記両側部に形成された突部を挿入することによって、通水部材に対してスライドするようになっているものである。
【００４８】
（ｘｂ）上記構成（ｘａ）において、取付部の上記両縁部の上記溝部が、水平に対して傾斜しているものである。
【００４９】
（ｘｃ）上記構成（Ｉ）又は（ｘａ）において、複数のドレインホースの出口端部がそれぞれ差し込まれるように、パイプの上流側が複数に分岐しているものである。
【００５０】
（ｘｄ）上記構成（Ｈ）において、排水路が、底部と両側部とで構成されており、ホース差込孔部と取付部とが１個のブロック体で構成されており、ホース差込孔部が、ブロック体に形成された貫通孔であり、取付部が、ブロック体の下部であり、取付部が、ブロック体の下部の両側に形成された突部を排水路の上記両側部に形成された溝部に挿入することによって、通水部材に対してスライドするようになっているものである。
【００５１】
（ｘｅ）上記構成（ｘｄ）において、排水路の上記両側部の上記溝部が、水平に対して傾斜しているものである。
【００５２】
（ｘｆ）上記構成（Ｈ）において、排水路が、底部と両側部とで構成されており、ホース差込孔部と取付部とが１個のブロック体で構成されており、ホース差込孔部が、ブロック体に形成された貫通孔であり、取付部が、ブロック体の下部であり、取付部が、ブロック体の下部の両側に形成された溝部に排水路の上記両側部に形成された突部を挿入することによって、通水部材に対してスライドするようになっているものである。
【００５３】
（ｘｇ）上記構成（ｘｆ）において、ブロック体の下部の上記溝部が、水平に対して傾斜しているものである。
【００５４】
（ｘｈ）上記構成（ｘｄ）又は（ｘｆ）において、複数のドレインホースの出口端部がそれぞれ差し込まれるように、貫通孔の上流側が複数に分岐しているものである。
【００５５】
（ｘｉ）１つのドレイン排水溝部材に、複数のドレイン連結具が取り付けられるようになっているものである。
【００５６】
（ｘｊ）上記構成（Ｈ）において、ドレイン排水溝部材が、上記構成（ｂ）〜（ｔ）のいずれか１つであるものである。
【００５７】
本願の第３発明は、屋外の床面に設置された、ドレイン排水溝部材及び床材、を備えた屋外床面設備において、上記第１発明及び上記構成（Ｃ）〜（Ｇ）のいずれか１つに記載のドレイン排水溝部材が、ドレインホースからのドレイン水を受けて流して排水するよう、屋外の床面に固定されており、床材が、ドレイン排水溝部材の両側に配置されて屋外の床面に固定され、且つ、その縁部がドレイン排水溝部材の両縁部に接合されていることを特徴としている。
【００５８】
上記第３発明は、更に、次の構成の１つ以上を採用するのが好ましい。
【００５９】
（ｙａ）ドレイン排水溝部材の蓋部材が、共に使用される床材から切り取ったものである。
【００６０】
（ｙｂ）ドレイン排水溝部材の通水部材が、両縁部の上縁から横方向に張り出した張出部を有しており、該張出部が、隣接する床材の縁部上に載せられて該縁部に接合されているものである。
【００６１】
本願の第４発明は、屋外の床面に設置された、ドレイン排水設備及び床材、を備えた屋外床面設備において、上記第２発明及び上記構成（Ｈ）〜（Ｋ）のいずれか１つに記載のドレイン排水設備が、ドレインホースからのドレイン水の排水を行うように、屋外の床面に固定されており、床材が、ドレイン排水設備のドレイン排水溝部材の両側に配置されて屋外の床面に固定され、且つ、その縁部がドレイン排水溝部材の両縁部に接合されていることを特徴としている。
【００６２】
上記第４発明は、更に、次の構成を採用するのが好ましい。
【００６３】
（ｚａ）ドレイン排水溝部材の蓋部材が、共に使用される床材から切り取ったものである。
【００６４】
なお、本願における「接合」は、接着剤を用いて、又は、溶接棒などを用いた熱溶着によって、又は、シーリング剤を用いて、又は、シーム液処理によって、又は、両面テープを用いて、又は、その他の周知の方法によって、達成できる。
【発明の効果】
【００６５】
本願の第１発明によれば、次のような効果を発揮できる。
（１）蓋部材を、スライドさせるだけで通水部材に対して脱着できるので、蓋部材の脱着作業を容易に行うことができる。
（２）長年の使用によって排水路が詰まった場合には、蓋部材をスライドさせ排水路を露出させて排水路の詰まりを解消することができるので、メンテナンスを容易に行うことができる。
（３）蓋部材をスライドさせることにより、ドレイン連結具を取り付ける位置を、ドレイン排水溝部材の端部近傍だけでなく、任意の位置に設定できる。したがって、現場における施工の利便性を向上できる。
【００６６】
更に、次のような効果を発揮できる。
（１）蓋部材を、簡単な構成によって且つ安定して、通水部材に対してスライドさせることができる。
（２）蓋部材の両縁部が通水部材の排水路の両側部の溝部に挿入された状態で、蓋部材が通水部材に取り付けられるので、蓋部材は、利用者の通常の歩行によっても、外れにくい。
（３）蓋部材の両縁部と通水部材の排水路の両側部の溝部との間には、蓋部材を通水部材に対してスライドさせるために、遊びが存在している。したがって、次のような効果を発揮できる。
（3-1）蓋部材の脱着が困難となることはない。
（3-2）脱着を繰り返しても、スライドしにくくなったり蓋部材が外れやすくなったりすることはない。
（3-3）部材が経時的に変形しても、遊びがその変形を吸収するので、蓋部材のスライドが不可能となることはない。
（3-4）部材の可撓性が大きくても小さくても、蓋部材のスライドを円滑に行うことができる。
【００６７】
【００６８】
上記構成（Ｃ）によれば、排水路を流れるドレイン水がスライド部分へ懸かるのを突出部によって防止できる。したがって、ドレイン水がスライド部分から漏れて溢れ出すのを防止できる。
【００６９】
しかも、蓋部材が踏まれた場合に、突出部が蓋部材の下面に当接して蓋部材を支持するので、蓋部材の凹み具合を低減でき、蓋部材が破損したり通水部材から外れたりするのを防止できる。
【００７０】
更に、排水路を流れるドレイン水がスライド部分へ侵入するのを突出部によって防止できる。したがって、ドレイン水がスライド部分から漏れて溢れ出すのを確実に防止できる。
【００７１】
しかも、突出部が蓋部材を下方から支持しているので、蓋部材の凹み具合を低減でき、蓋部材が破損したり通水部材から外れたりするのを防止できる。
【００７２】
上記構成（Ｄ）によれば、リブによって蓋部材を下方から支持できるので、蓋部材を、上方から加わる圧力に対抗するよう、補強できる。
【００７３】
上記構成（Ｅ）又は（Ｆ）によれば、蓋部材を補強できる。
【００７４】
上記構成（Ｇ）によれば、ドレイン排水溝部材の形状的意匠をすっきりしたものにできる。しかも、床材をドレイン排水溝部材と同じ厚さとすることにより、床材及びドレイン排水溝部材の全体を段差のないものにできる。
【００７５】
上記構成（ａ）又は（ｂ）によれば、スライド部分における蓋部材と通水部材との装着状態を安定させることができ、また、ドレイン水がスライド部分から漏れて溢れ出すのを防止できる。
【００７６】
【００７７】
【００７８】
【００７９】
上記構成（ｉ）によれば、ドレイン水が少ない場合にはドレイン水を幅狭領域に流し、ドレイン水が多い場合にはドレイン水を幅広領域に流すことにより、排水路が不必要に広く使用されるのを回避できる。したがって、メンテナンスを簡素に行うことができる。
【００８０】
上記構成（ｊ）又は（ｋ）によれば、ドレイン水を排水路の中央に集めて効率良く流すことができる。
【００８１】
上記構成（ｌ）によれば、排水路の内面がドレイン水中の細菌等によって汚染されて劣化するのを防止できる。
【００８２】
上記構成（ｍ）によれば、両側部の表面が紫外線によって劣化するのを防止できる。
【００８３】
上記構成（ｎ）によれば、蓋部材の意匠性を向上できる。したがって、周囲に配設する床材の意匠性に見劣りしない意匠性を蓋部材に持たせることができる。
【００８４】
上記構成（ｏ）によれば、蓋部材の裏面がドレイン水中の細菌等によって汚染されて劣化するのを防止できる。
【００８５】
上記構成（ｐ）によれば、蓋部材の表面が紫外線によって劣化するのを防止できる。
【００８６】
上記構成（ｑ）によれば、蓋部材の表面が紫外線によって劣化するのを防止でき、また、蓋部材の裏面がドレイン水中の細菌等によって汚染されて劣化するのを防止でき、更に、蓋部材の裏面の抗菌作用及び防カビ作用が紫外線によって弱められるのを防止できる。
【００８７】
上記構成（ｒ）によれば、１つの蓋部材で２つの意匠を発揮できるので、商品価値を向上できる。
【００８８】
上記構成（ｓ）によれば、蓋部材の一方の面の抗菌作用又は防カビ作用が弱まった場合には他方の面の抗菌作用又は防カビ作用を使用できるので、蓋部材の抗菌作用又は防カビ作用の寿命を長くできる。
【００８９】
上記構成（ｔ）によれば、蓋部材の一方の面の耐紫外線作用が弱まった場合には他方の面の耐紫外線作用を使用できるので、蓋部材の耐紫外線作用の寿命を長くできる。
【００９０】
本願の第２発明によれば、蓋部材をスライドさせることによって、ドレイン連結具を取り付ける位置を任意に設定できるので、ドレインホースの長さや位置に対応させてドレイン連結具を配置させることができる。したがって、ドレインホースの出口端部をドレイン排水溝部材に良好に連結できる。
【００９１】
上記構成（Ｈ）によれば、次のような効果を発揮できる。
（１）取付部を、スライドさせるだけで通水部材に対して脱着できるので、ドレイン連結具の脱着作業を容易に行うことができる。
（２）ドレイン連結具を取り付けた箇所の排水路が長年の使用によって詰まった場合に、取付部をスライドさせ当該排水路を露出させて排水路の詰まりを解消することができるので、メンテナンスを容易に行うことができる。
（３）取付部をスライドさせるとともに、蓋部材をスライドさせることによって、ドレイン連結具を、ドレイン排水溝部材の端部近傍だけでなく、任意の位置に、簡単に取り付けることができる。したがって、現場における施工の利便性を向上できる。
【００９２】
上記構成（Ｉ）によれば、次のような効果を発揮できる。
（１）取付部を、簡単な構成によって且つ安定して、通水部材に対してスライドさせることができる。
（２）取付部の両縁部が通水部材の排水路の両側部の溝部に挿入された状態で、ドレイン連結具が通水部材に取り付けられるので、ドレイン連結具は、利用者の通常の歩行によっても、外れにくい。
（３）取付部の両縁部と通水部材の排水路の両側部の溝部との間には、取付部を通水部材に対してスライドさせるために、遊びが存在している。したがって、次のような効果を発揮できる。
（3-1）ドレイン連結具の脱着が困難となることはない。
（3-2）脱着を繰り返しても、スライドしにくくなったりドレイン連結具が外れやすくなったりすることはない。
（3-3）部材が経時的に変形しても、遊びがその変形を吸収するので、ドレイン連結具のスライドが不可能となることはない。
（3-4）部材の可撓性が大きくても小さくても、ドレイン連結具のスライドを円滑に行うことができる。
【００９３】
上記構成（Ｊ）によれば、上からの力に対する強度を向上できる。
【００９４】
上記構成（Ｋ）によれば、ドレイン排水設備において、上記構成（Ａ）〜（Ｇ）のいずれか１つのドレイン排水溝部材に基づく効果を発揮できる。
【００９５】
上記構成（ｘａ）によれば、次のような効果を発揮できる。
（１）取付部を、簡単な構成によって且つ安定して、通水部材に対してスライドさせることができる。
（２）取付部の両縁部の溝部に通水部材の排水路の両側部の突部が挿入された状態で、ドレイン連結具は通水部材に取り付けられるので、ドレイン連結具は、利用者の通常の歩行によっても、外れにくい。
（３）取付部の両縁部の溝部と通水部材の排水路の両側部の突部との間には、取付部を通水部材に対してスライドさせるために、遊びが存在している。したがって、次のような効果を発揮できる。
（3-1）ドレイン連結具の脱着が困難となることはない。
（3-2）脱着を繰り返しても、スライドしにくくなったりドレイン連結具が外れやすくなったりすることはない。
（3-3）部材が経時的に変形しても、遊びがその変形を吸収するので、ドレイン連結具のスライドが不可能となることはない。
（3-4）部材の可撓性が大きくても小さくても、ドレイン連結具のスライドを円滑に行うことができる。
【００９６】
上記構成（ｘｂ）によれば、上からの力に対する強度を向上できる。
【００９７】
上記構成（ｘｃ）によれば、現場においてドレインホースが複数本存在している場合に、１つのドレイン連結具で対処できる。
【００９８】
上記構成（ｘｄ）によれば、次のような効果を発揮できる。
（１）取付部を、簡単な構成によって且つ安定して、通水部材に対してスライドさせることができる。
（２）取付部の突部が通水部材の排水路の両側部の溝部に挿入された状態で、ドレイン連結具が通水部材に取り付けられるので、ドレイン連結具は、利用者の通常の歩行によっても、外れにくい。
（３）取付部の突部と通水部材の排水路の両側部の溝部との間には、取付部を通水部材に対してスライドさせるために、遊びが存在している。したがって、次のような効果を発揮できる。
（3-1）ドレイン連結具の脱着が困難となることはない。
（3-2）脱着を繰り返しても、スライドしにくくなったりドレイン連結具が外れやすくなったりすることはない。
（3-3）部材が経時的に変形しても、遊びがその変形を吸収するので、ドレイン連結具のスライドが不可能となることはない。
（3-4）部材の可撓性が大きくても小さくても、ドレイン連結具のスライドを円滑に行うことができる。
【００９９】
上記構成（ｘｅ）によれば、上からの力に対する強度を向上できる。
【０１００】
上記構成（ｘｆ）によれば、次のような効果を発揮できる。
（１）取付部を、簡単な構成によって且つ安定して、通水部材に対してスライドさせることができる。
（２）取付部の両側の溝部に通水部材の排水路の両側部の突部が挿入された状態で、ドレイン連結具は通水部材に取り付けられるので、ドレイン連結具は、利用者の通常の歩行によっても、外れにくい。
（３）取付部の両側の溝部と通水部材の排水路の両側部の突部との間には、取付部を通水部材に対してスライドさせるために、遊びが存在している。したがって、次のような効果を発揮できる。
（3-1）ドレイン連結具の脱着が困難となることはない。
（3-2）脱着を繰り返しても、スライドしにくくなったりドレイン連結具が外れやすくなったりすることはない。
（3-3）部材が経時的に変形しても、遊びがその変形を吸収するので、スライドが不可能となることはない。
（3-4）部材の可撓性が大きくても小さくても、スライドを円滑に行うことができる。
【０１０１】
上記構成（ｘｇ）によれば、傾斜している分だけ取付部に応力が働くので、その分だけ、ドレイン連結具のスライドを安定して行うことができる。
【０１０２】
上記構成（ｘｈ）によれば、現場においてドレインホースが複数本存在している場合に、１つのドレイン連結具で対処できる。
【０１０３】
上記構成（ｘｉ）によれば、現場においてドレインホースが複数本存在している場合に、１つのドレイン排水設備で対処できる。
【０１０４】
上記構成（ｘｊ）によれば、ドレイン排水設備において、上記構成（ｂ）、（ｉ）〜（ｔ）のいずれか１つのドレイン排水溝部材に基づく効果を発揮できる。
【０１０５】
本願の第３発明によれば、床材とドレイン排水溝部材とを備えた屋外床面設備において、上記第１発明及び上記構成（Ｃ）〜（Ｇ）のいずれか１つのドレイン排水溝部材に基づく効果を発揮できる。
【０１０６】
上記構成（ｙａ）によれば、蓋部材を現場で調達できる。また、ドレイン排水溝部材と床材との意匠性を同じにできるので、屋外床面設備の意匠性をまとまりのあるものにできる。
【０１０７】
上記構成（ｙｂ）によれば、ドレイン排水溝部材の通水部材の両縁部と隣接する床材の縁部との間に、隙間があっても、張出部によって当該隙間を塞ぐことができる。したがって、ドレイン排水溝部材と床材との間の正確な寸法合わせを不要にでき、設置の作業性を向上できる。
【０１０８】
本願の第４発明によれば、床材とドレイン排水設備とを備えた屋外床面設備において、上記第２発明及び上記構成（Ｈ）〜（Ｋ）のいずれか１つのドレイン排水設備に基づく効果を発揮できる。
【０１０９】
上記構成（ｚａ）によれば、蓋部材を現場で調達できる。また、ドレイン排水設備と床材との意匠性を同じにできるので、屋外床面設備の意匠性をまとまりのあるものにできる。
【発明を実施するための最良の形態】
【０１１０】
（基本的実施形態）
図１は、本発明の屋外床面設備の一例を示す部分断面斜視図である。この屋外床面設備１００は、マンション等の集合住宅の、共通廊下やベランダ等である屋外２００の床面２０１に、設けられているものであり、ドレイン排水溝部材１、床材２、及び、ドレイン連結具３を備えている。なお、ドレイン連結具３を備えない場合もある。ドレイン排水溝部材１及び床材２は、床面２０１に貼り付け等により固定されている。なお、床材２としては、床シート、床タイル等がある。ドレイン排水溝部材１は、その長手方向（矢印Ｌ方向）が床面２０１を横断し、下流側端部が排水溝部２０２に臨むように、配置されている。床材２は、ドレイン排水溝部材１の両側に配置されている。ドレイン排水溝部材１の両側部５２、５３と床材２の縁部２１とは互いに当接させて溶着されている。符号１０１は溶着部を示している。ドレイン連結具３は、ドレイン排水溝部材１の上流側端部に取り付けられており、冷暖房装置の外機２０３からのドレインホース２０４をドレイン排水溝部材１に連結している。ドレイン排水溝部材１にドレイン連結具３を取り付けてなるものをドレイン排水設備３００と称する。図２は、ドレイン排水設備３００の斜視図である。図３は、ドレイン排水溝部材１の斜視図である。
【０１１１】
ドレイン排水溝部材１は、通水部材５と蓋部材６とからなっている。図３のIV−IV断面図である図４に示すように、通水部材５は、ドレイン水を流すための長手方向に延びた排水路５０を有する細長い部材である。排水路５０は、底部５１と両側部５２、５３とで構成されている。両側部５２、５３には、それぞれ、内側に、水平な溝部５２１、５３１が形成されている。蓋部材６は、１枚の板体であり、その両縁部６１、６２を溝部５２１、５３１に挿入することによって、通水部材５に対してスライドするようになっている。すなわち、蓋部材６は、図５に示すように、通水部材５に対して、長手方向（矢印Ｌ方向）にスライドして脱着可能となっている。なお、図４においては、ドレイン排水溝部材１の両側部５２、５３と床材２の縁部２１との溶着部１０１も示している。
【０１１２】
図６はドレイン連結具３の拡大斜視図、図７は図２のVII−VII断面図である。ドレイン連結具３は、ホース差込孔部７と取付部８とからなっている。ホース差込孔部７は、図７に示すように、ドレインホース２０４の出口端部２０４１が差し込まれ、ドレイン水をドレイン排水溝部材１の排水路５０に向けて流すようになっている。取付部８は、ドレイン排水溝部材１に直接取り付けられ、ドレイン排水溝部材１の排水路５０を上方から塞ぐ蓋体を構成するものである。ホース差込孔部７と取付部８とは一体に形成されている。具体的には、ホース差込孔部７は、パイプからなっており、取付部８は、パイプの下縁から横方向に広がった板体からなっている。そして、ドレイン連結具３は、図７に示すように、取付部８の板体の両縁部８１、８２を通水部材５の溝部５２１、５３１に挿入することによって、通水部材５に対してスライドするようになっている。すなわち、ドレイン連結具３は、図８に示すように、通水部材５に対して、長手方向にスライドして脱着可能となっている。なお、図２において、ドレイン連結具３の下流側縁部８３と蓋部材６の上流側縁部６３とは、互いに当接させて接合されている。
【０１１３】
上記構成の屋外床面設備１００においては、外機２０３からのドレイン水が、ドレインホース２０４及びドレイン連結具３を通ってドレイン排水溝部材１の排水路５０に流れ込み、排水路５０を流れて、ドレイン排水溝部材１の下流側端部から排水溝部２０２へ流れ落ち、排水溝部２０２を流れて排水される。その際、ドレイン水は、ドレイン連結具３を通ってドレイン排水溝部材１の排水路５０に流れ込むので、ドレインホース２０４から床材２上に漏れ落ちることはない。しかも、ドレイン水は、ドレイン排水溝部材１の排水路５０に流れ込んだ後は、ドレイン連結具３の取付部８及び蓋部材６によって塞がれた排水路５０内を流れるので、ドレイン排水溝部材１から床材２上に流れ出ることはない。したがって、上記構成の屋外床面設備１００によれば、床材２上にドレイン水を漏らすことなく、ドレイン水を排水できる。
【０１１４】
上記構成のドレイン排水溝部材１によれば、次のような効果を発揮できる。
（１）ドレイン水を流すための排水路５０が蓋部材６によって塞がれているので、次のような効果を発揮できる。
（1-1）風によってドレイン水が排水路５０から溢れ出てしまうことはない。したがって、排水機能を十分に果たすことができる。
（1-2）排水路５０に埃や砂等が溜まることはない。したがって、排水機能の低下を防止できる。
（1-3）排水路５０による段差が蓋部材６によって塞がれているため、利用者の躓きを防止でき、それ故、安全性を向上できる。
【０１１５】
（２）蓋部材６が通水部材５に対してスライドして脱着可能であるので、次のような効果を発揮できる。
（2-1）蓋部材６を、スライドさせるだけで通水部材５に対して脱着できるので、蓋部材６の脱着作業を容易に行うことができる。
（2-2）長年の使用によって排水路５０が詰まった場合には、蓋部材６をスライドさせ排水路５０を露出させて排水路５０の詰まりを解消することができるので、メンテナンスを容易に行うことができる。
（2-3）蓋部材６をスライドさせることにより、ドレイン連結具３を取り付ける位置を、ドレイン排水溝部材１の端部近傍だけでなく、任意の位置に設定できる。したがって、現場における施工の利便性を向上できる。
（2-4）蓋部材６の両縁部６１、６２が通水部材５の溝部５２１、５３１に挿入された状態で、蓋部材６が通水部材５に取り付けられているので、蓋部材６は、利用者の通常の歩行によっても、外れにくい。
（2-5）蓋部材６の両縁部６１、６２と通水部材５の溝部５２１、５３１との間には、蓋部材６を通水部材５に対してスライドさせるために、遊びが存在している。したがって、次のような効果を発揮できる。
（2-5-1）蓋部材６の脱着が困難となることはない。
（2-5-2）脱着を繰り返しても、スライドしにくくなったり蓋部材６が外れやすくなったりすることはない。
（2-5-3）部材が経時的に変形しても、遊びがその変形を吸収するので、蓋部材６のスライドが不可能となることはない。
（2-5-4）部材の可撓性が大きくても小さくても、蓋部材６のスライドを円滑に行うことができる。
【０１１６】
また、上記構成のドレイン排水設備３００によれば、次のような効果を発揮できる。
（１）ドレイン連結具３を備えているので、ドレインホース２０４の出口端部２０４１を確実にドレイン排水溝部材１に連結できる。したがって、ドレインホース２０４からのドレイン水を、床材２上に漏らすことなく、ドレイン排水溝部材１によって良好に受けて流すことができる。
【０１１７】
（２）ドレイン連結具３の取付部８がドレイン排水溝部材１の排水路５０を塞ぐ蓋体となるので、ドレイン連結具３を取り付けた箇所の排水路５０において、次のような効果を発揮できる。
（2-1）風によってドレイン水が溢れ出てしまうことはない。したがって、排水機能を良好に果たすことができる。
（2-2）排水路５０に埃や砂等が溜まることはない。したがって、排水機能の低下を防止できる。
【０１１８】
（３）ドレイン連結具３が通水部材５に対してスライドして脱着可能であるので、次のような効果を発揮できる。
（3-1）取付部８を、スライドさせるだけで通水部材５に対して脱着できるので、ドレイン連結具３の脱着作業を容易に行うことができる。
（3-2）ドレイン連結具３を取り付けた箇所の排水路５０が長年の使用によって詰まった場合には、取付部８をスライドさせ排水路５０を露出させて排水路５０の詰まりを解消することができるので、メンテナンスを容易に行うことができる。
（3-3）取付部８をスライドさせるとともに、蓋部材６をスライドさせることによって、ドレイン連結具３を、ドレイン排水溝部材１の端部近傍だけでなく、任意の位置に、簡単に取り付けることができる。したがって、現場における施工の利便性を向上できる。
（3-4）取付部８の両縁部８１、８２が通水部材５の溝部５２１、５３１に挿入された状態で、ドレイン連結具３が通水部材５に取り付けられているので、ドレイン連結具３は、利用者の通常の歩行によっても、外れにくい。
（3-5）取付部８の両縁部８１、８２と通水部材５の溝部５２１、５３１との間には、取付部８を通水部材５に対してスライドさせるために、遊びが存在している。したがって、次のような効果を発揮できる。
（3-5-1）ドレイン連結具３の脱着が困難となることはない。
（3-5-2）脱着を繰り返しても、スライドしにくくなったりドレイン連結具３が外れやすくなったりすることはない。
（3-5-3）部材が経時的に変形しても、遊びがその変形を吸収するので、ドレイン連結具３のスライドが不可能となることはない。
（3-5-4）部材の可撓性が大きくても小さくても、ドレイン連結具３のスライドを円滑に行うことができる。
【０１１９】
上記構成のドレイン排水溝部材１及び床材２を備えた屋外床面設備１００によれば、上記構成のドレイン排水溝部材１に基づく上述した効果を発揮できる。
【０１２０】
また、上記構成のドレイン排水設備３００及び床材２を備えた屋外床面設備１００によれば、上記構成のドレイン排水溝部材１に基づく上述した効果及び上記構成のドレイン連結具３に基づく上述した効果を発揮できる。
【０１２１】
（変形構造の例）
本発明においては、上述した実施形態の、各構成部材、各部の構造、更には全体の構造、に関連して、次のような種々の変形構造を採用できる。
【０１２２】
［ドレイン排水溝部材１のスライド構造の変形構造］
以下において、図９〜図１２は参考例を示している。但し、図１２の突出部５９５、５９６は参考例ではない。
（１）図９は第１例を示す断面図である。このスライド構造では、通水部材５の溝部５２１、５３１が、水平に対して傾斜して形成されており、蓋部材６の両縁部６１、６２も、それに合わせて傾斜している。
【０１２３】
この構造によれば、傾斜している分だけ蓋部材６に応力が働くので、その分だけ、蓋部材６のスライドを安定して行うことができる。
【０１２４】
（２）図１０は第２例を示す断面図である。このスライド構造では、通水部材５の両側部５２、５３から内向きに突出した突出部５９１、５９２が形成されている。なお、突出部５９１、５９２と蓋部材６の下面との間には、隙間がある。
【０１２５】
この構造によれば、突出部５９１、５９２が排水路５０を流れるドレイン水とスライド部分との間の障壁となるので、ドレイン水が跳ね上がっても、その跳ね上がったドレイン水がスライド部分へ懸かるのを防止できる。したがって、ドレイン水がスライド部分から漏れて溢れ出すのを防止できる。
【０１２６】
しかも、蓋部材６が踏まれた場合に、突出部５９１、５９２が蓋部材６の下面に当接して蓋部材６を支持するので、蓋部材６の凹み具合を低減でき、蓋部材６が破損したり通水部材５から外れたりするのを防止できる。
【０１２７】
なお、突出部５９１、５９２は、図１０のように水平に突出する場合に限るものではなく、斜め上方や斜め下方に突出してもよい。
【０１２８】
（３）図１１は第３例を示す断面図である。このスライド構造では、通水部材５の両側部５２、５３から内向きに突出した突出部５９３、５９４が形成されている。そして、突出部５９３、５９４は、蓋部材６の下面に沿って且つその全体が当接して、突出している。
【０１２９】
この構造によれば、突出部５９３、５９４が蓋部材６の下面に沿って且つその全体が当接しているので、排水路５０を流れるドレイン水がスライド部分に侵入するのを確実に防止できる。したがって、ドレイン水がスライド部分から漏れて溢れ出すのを確実に防止できる。
【０１３０】
しかも、突出部５９３、５９４が、蓋部材６の両側を補強して支持しているので、通水部材５に対する蓋部材６の装着安定性を増大でき、また、蓋部材６が踏まれた場合の凹み具合を低減できる。
【０１３１】
（４）図１２は第４例を示す断面図である。このスライド構造では、通水部材５の両側部５２、５３から内向きに突出した突出部５９５、５９６が形成されている。そして、突出部５９５、５９６は、両側部５２、５３から斜め上向きに突出して先端が蓋部材６の下面に当接している。
【０１３２】
この構造によれば、突出部５９５、５９６の先端が蓋部材６の下面に当接しているので、排水路５０を流れるドレイン水がスライド部分に侵入するのを確実に防止できる。したがって、ドレイン水がスライド部分から漏れて溢れ出すのを確実に防止できる。
【０１３３】
しかも、突出部５９５、５９６が蓋部材６を斜め下方から支持しているので、通水部材５に対する蓋部材６の装着安定性を増大でき、また、蓋部材６が踏まれた場合の凹み具合を低減できる。
【０１３４】
なお、図１０〜図１２に示される突出部は、通水部材５の両側部５２、５３の一方のみに形成してもよい。また、図１０〜図１２では、３種類の突出部を示しているが、本発明では、一方の側部５２と他方の側部５３とにおいて、異なる種類の突出部を採用してもよい。
【０１３５】
（５）図１３は第５例を示す断面図である。このスライド構造では、蓋部材６の両縁部６１、６２の下面に、凸部６１５、６２５が形成されており、また、通水部材５の溝部５２１、５３１の下面に、凸部６１５、６２５が嵌合する凹部５２１１、５３１１が形成されている。そして、蓋部材６の両縁部６１、６２が、凸部６１５、６２５を凹部５２１１、５３１１に嵌合させた状態で、溝部５２１、５３１に挿入されている。
【０１３６】
この構造によれば、凸部６１５、６２５が凹部５２１１、５３１１に嵌合しているため、スライド部分における蓋部材６と通水部材５との装着状態を安定させることができ、また、ドレイン水がスライド部分から漏れて溢れ出すのを防止できる。
【０１３７】
（６）図１４は第６例を示す断面図である。このスライド構造では、蓋部材６の両縁部６１、６２の上面に、凸部６１６、６２６が形成されており、また、通水部材５の溝部５２１、５３１の上面に、凸部６１６、６２６が嵌合する凹部５２１２、５３１２が形成されている。そして、蓋部材６の両縁部６１、６２が、凸部６１６、６２６を凹部５２１２、５３１２に嵌合させた状態で、溝部５２１、５３１に挿入されている。
【０１３８】
この構造によれば、凸部６１６、６２６が凹部５２１２、５３１２に嵌合しているため、スライド部分における蓋部材６と通水部材５との装着状態を安定させることができ、また、ドレイン水がスライド部分から漏れて溢れ出すのを防止できる。
【０１３９】
（７）図１５は第７例を示す断面図である。このスライド構造では、蓋部材６の両縁部６１、６２の下面に、凹部６１７、６２７が形成されており、また、通水部材５の溝部５２１、５３１の下面に、凹部６１７、６２７に嵌合する凸部５２１３、５３１３が形成されている。そして、蓋部材６の両縁部６１、６２が、凹部６１７、６２７に凸部５２１３、５３１３を嵌合させた状態で、溝部５２１、５３１に挿入されている。
【０１４０】
この構造によれば、凹部６１７、６２７に凸部５２１３、５３１３が嵌合しているため、スライド部分における蓋部材６と通水部材５との装着状態を安定させることができ、また、ドレイン水がスライド部分から漏れて溢れ出すのを防止できる。
【０１４１】
（８）図１６は第８例を示す断面図である。このスライド構造では、蓋部材６の両縁部６１、６２の上面に、凹部６１８、６２８が形成されており、また、通水部材５の溝部５２１、５３１の上面に、凹部６１８、６２８に嵌合する凸部５２１４、５３１４が形成されている。そして、蓋部材６の両縁部６１、６２が、凹部６１８、６２８に凸部５２１４、５３１４を嵌合させた状態で、溝部５２１、５３１に挿入されている。
【０１４２】
この構造によれば、凹部６１８、６２８に凸部５２１４、５３１４が嵌合しているため、スライド部分における蓋部材６と通水部材５との装着状態を安定させることができ、また、ドレイン水がスライド部分から漏れて溢れ出すのを防止できる。
【０１４３】
なお、蓋部材６の縁部６１及び／又は縁部６２においては、図１３〜図１６に示す４種類のスライド構造の内の任意の２種類を組み合わせて採用してもよい。また、一方の縁部６１と他方の縁部６２とにおいては、異なる種類のスライド構造を採用してもよい。例えば、図１３のスライド構造において、更に、凸部６１６、６２６及び凹部５２１２、５３１２を形成してもよい。また、例えば、図１５のスライド構造において、更に、凹部６１８、６２８及び凸部５２１４、５３１４を形成してもよい。また、例えば、図１３の例において、縁部６２に図１４のスライド構造を採用してもよい。また、例えば、図１５の例において、縁部６１に図１６のスライド構造を採用してもよい。
【０１４４】
（９）図１７は第９例を示す断面図である。なお、図１７は参考例を示す。このスライド構造では、蓋部材６の両縁部６１、６２が、断面波形形状に形成されており、また、通水部材５の溝部５２１、５３１が、両縁部６１、６２が嵌合する断面波形形状に形成されている。そして、蓋部材６の両縁部６１、６２が、波形形状同士を嵌合させた状態で、溝部５２１、５３１に挿入されている。
【０１４５】
この構造によれば、両縁部６１、６２と溝部５２１、５３１との波形形状同士が嵌合しているため、スライド部分における蓋部材６と通水部材５との装着状態を安定させることができ、また、ドレイン水がスライド部分から漏れて溢れ出すのを防止できる。
【０１４６】
図１８〜図２４は参考例を示す。
（１０）図１８は第１０例を示す断面図である。このスライド構造では、蓋部材６の両縁部６１、６２に水平な溝部６１１、６２１がそれぞれ形成されており、排水路５０の両側部５２、５３に突部５２２、５３２がそれぞれ形成されており、蓋部材６が、その両縁部６１、６２の溝部６１１、６２１に排水路５０の突部５２２、５３２を挿入することによって、通水部材５に対してスライドするようになっている。
【０１４７】
この構造によれば、次のような効果を発揮できる。
（ｉ）蓋部材６の溝部６１１、６２１に通水部材５の突部５２２、５３２が挿入された状態で、蓋部材６が通水部材５に取り付けられているので、蓋部材６は、利用者の通常の歩行によっても、外れにくい。
（ii）蓋部材６の溝部６１１、６２１と通水部材５の突部５２２、５３２との間には、蓋部材６を通水部材５に対してスライドさせるために、遊びが存在している。したがって、次のような効果を発揮できる。
（ii-1）蓋部材６の脱着が困難となることはない。
（ii-2）脱着を繰り返しても、スライドしにくくなったり蓋部材６が外れやすくなったりすることはない。
（ii-3）部材が経時的に変形しても、遊びがその変形を吸収するので、蓋部材６のスライドが不可能となることはない。
（ii-4）部材の可撓性が大きくても小さくても、蓋部材６のスライドを円滑に行うことができる。
【０１４８】
（１１）図１９は第１１例を示す断面図である。この例は、図１８の構造の更なる変形構造である。このスライド構造では、蓋部材６の溝部６１１、６２１が、水平に対して傾斜して形成されており、通水部材５の突部５２２、５３２も、それに合わせて傾斜している。
【０１４９】
この構造によれば、傾斜している分だけ蓋部材６に応力が働くので、その分だけ、蓋部材６のスライドを安定して行うことができる。
【０１５０】
（１２）図２０は第１２例を示す断面図である。この例は、図１８の構造の更なる変形構造である。このスライド構造では、蓋部材６の溝部６１１、６２１の下面に、上開きの凹部６１１１、６２１１が形成されており、また、通水部材５の突部５２２、５３２の下面に、凹部６１１１、６２１１に嵌合する下向きの凸部５２２１、５３２１が形成されている。そして、蓋部材６の溝部６１１、６２１に、通水部材５の突部５２２、５３２が、凸部５２２１、５３２１を凹部６１１１、６２１１に嵌合させた状態で、挿入されている。
【０１５１】
この構造によれば、凹部６１１１、６２１１に凸部５２２１、５３２１が嵌合しているため、スライド部分における蓋部材６と通水部材５との装着状態を安定させることができ、また、ドレイン水がスライド部分から漏れて溢れ出すのを防止できる。
【０１５２】
（１３）図２１は第１３例を示す断面図である。この例は、図１８の構造の更なる変形構造である。このスライド構造では、蓋部材６の溝部６１１、６２１の上面に、下開きの凹部６１１２、６２１２が形成されており、また、通水部材５の突部５２２、５３２の上面に、凹部６１１２、６２１２に嵌合する上向きの凸部５２２２、５３２２が形成されている。そして、蓋部材６の溝部６１１、６２１に、通水部材５の突部５２２、５３２が、凸部５２２２、５３２２を凹部６１１２、６２１２に嵌合させた状態で、挿入されている。
【０１５３】
この構造によれば、凹部６１１２、６２１２に凸部５２２２、５３２２が嵌合しているため、スライド部分における蓋部材６と通水部材５との装着状態を安定させることができ、また、ドレイン水がスライド部分から漏れて溢れ出すのを防止できる。
【０１５４】
（１４）図２２は第１４例を示す断面図である。この例は、図１８の構造の更なる変形構造である。このスライド構造では、蓋部材６の溝部６１１、６２１の下面に、上向きの凸部６１１３、６２１３が形成されており、また、通水部材５の突部５２２、５３２の下面に、凸部６１１３、６２１３が嵌合する下開きの凹部５２２３、５３２３が形成されている。そして、蓋部材６の溝部６１１、６２１に、通水部材５の突部５２２、５３２が、凹部５２２３、５３２３に凸部６１１３、６２１３を嵌合させた状態で、挿入されている。
【０１５５】
この構造によれば、凹部５２２３、５３２３に凸部６１１３、６２１３が嵌合しているため、スライド部分における蓋部材６と通水部材５との装着状態を安定させることができ、また、ドレイン水がスライド部分から漏れて溢れ出すのを防止できる。
【０１５６】
（１５）図２３は第１５例を示す断面図である。この例は、図１８の構造の更なる変形構造である。このスライド構造では、蓋部材６の溝部６１１、６２１の上面に、下向きの凸部６１１４、６２１４が形成されており、また、通水部材５の突部５２２、５３２の上面に、凸部６１１４、６２１４が嵌合する上開きの凹部５２２４、５３２４が形成されている。そして、蓋部材６の溝部６１１、６２１に、通水部材５の突部５２２、５３２が、凹部５２２４、５３２４に凸部６１１４、６２１４を嵌合させた状態で、挿入されている。
【０１５７】
この構造によれば、凹部５２２４、５３２４に凸部６１１４、６２１４が嵌合しているため、スライド部分における蓋部材６と通水部材５との装着状態を安定させることができ、また、ドレイン水がスライド部分から漏れて溢れ出すのを防止できる。
【０１５８】
なお、蓋部材６の縁部６１及び／又は縁部６２においては、図２０〜図２３に示す４種類のスライド構造の内の任意の２種類を組み合わせて採用してもよい。また、一方の縁部６１と他方の縁部６２とにおいては、異なる種類のスライド構造を採用してもよい。例えば、図２０のスライド構造において、更に、凸部５２２２、５３２２及び凹部６１１２、６２１２を形成してもよい。また、例えば、図２２のスライド構造において、更に、凹部５２２４、５３２４及び凸部６１１４、６２１４を形成してもよい。また、例えば、図２０の例において、縁部６２に図２１のスライド構造を採用してもよい。また、例えば、図２２の例において、縁部６１に図２３のスライド構造を採用してもよい。
【０１５９】
（１６）図２４は第１６例を示す断面図である。この例は、図１８の構造の更なる変形構造である。このスライド構造では、蓋部材６の溝部６１１、６２１が、断面波形形状に形成されており、また、通水部材５の突部５２２、５３２が、断面波形形状の溝部６１１、６２１に嵌合する断面波形形状に形成されている。そして、蓋部材６の溝部６１１、６２１に、波形形状同士を嵌合させた状態で、通水部材５の突部５２２、５３２が挿入されている。
【０１６０】
この構造によれば、溝部６１１、６２１と突部５２２、５３２との波形形状同士が嵌合しているため、スライド部分における蓋部材６と通水部材５との装着状態を安定させることができ、また、ドレイン水がスライド部分から漏れて溢れ出すのを防止できる。
【０１６１】
［ドレイン排水溝部材１の排水路５０の変形構造］
（１）図２５は第１例を示す断面図である。この排水路５０では、底部５１の中央に一段低い排水路が形成されており、これにより、排水路５０は、中央の幅狭領域５１１と、幅狭領域５１１を含む幅広領域５１２と、を有している。
【０１６２】
この構造によれば、ドレイン水が少ない場合にはドレイン水を幅狭領域５１１に流し、ドレイン水が多い場合にはドレイン水を幅広領域５１２に流すことにより、排水路５０が不必要に広く使用されるのを回避できる。したがって、メンテナンスを簡素に行うことができる。
【０１６３】
（２）図２６は第２例を示す断面図である。この排水路５０では、底面５１０が両側から中央に向けて漸次低くなっている。ここでは、底部５１が、断面Ｖ字状となっている。
【０１６４】
この構造によれば、ドレイン水が排水路５０の中央に集まって流れるので、ドレイン水を効率良く流すことができる。
【０１６５】
（３）図２７は第３例を示す断面図である。この例は、図２６の構造の更なる変形構造である。この排水路５０では、底面５１０が中央に向けて漸次低くなっているとともに、一段低くなった中央領域５１１を有している。
【０１６６】
この構造によれば、ドレイン水が排水路５０の中央に集まって流れるので、ドレイン水を効率良く流すことができる。
【０１６７】
（４）図２８は第４例を示す断面図である。この排水路５０では、底部５１の中央に２つのリブ５５１、５５２で仕切られた幅狭領域５１１が形成されており、これにより、排水路５０は、中央の幅狭領域５１１と、幅狭領域５１１を含む幅広領域５１２と、を有している。
【０１６８】
この構造によっても、図２５の場合と同様の効果を発揮できる。
【０１６９】
（５）図２９は第５例を示す断面図である。この排水路５０では、底部５１の中央に２つの低いリブ５５３、５５４で仕切られた幅狭領域５１１が形成されており、その外側に２つの高いリブ５５５、５５６で仕切られ且つ幅狭領域５１１を含む幅広領域５１２が形成されている。更に、幅広領域５１２の外側を幅広領域５１２を含む更なる幅広領域５１３と見ることができる。
【０１７０】
この構造によれば、ドレイン水が少ない場合にはドレイン水を幅狭領域５１１に流し、ドレイン水が多い場合にはドレイン水を幅広領域５１２に流し、ドレイン水が更に多い場合にはドレイン水を幅広領域５１３に流すことにより、排水路５０が不必要に広く使用されるのを回避できる。したがって、メンテナンスを簡素に行うことができる。
【０１７１】
（６）図３０は第６例を示す断面図である。この排水路５０では、底部５１に、等間隔で上向きに突出した多数のリブ５５７が形成されている。なお、リブ５５７は、取り付けられた蓋部材６の裏面に当接する長さだけ突出しているのが、好ましい。
【０１７２】
この構造によれば、リブ５５７によって蓋部材６を下方から支持できるので、蓋部材６を、上方から加わる圧力に対抗するよう、補強できる。
【０１７３】
（７）図３１は第７例を示す断面図である。この排水路５０では、内面に、抗菌剤及び防カビ剤が混入された樹脂層である作用層５６１が形成されている。
【０１７４】
この構造によれば、排水路５０の内面がドレイン水中の細菌等によって汚染されて劣化するのを防止できる。
【０１７５】
［ドレイン排水溝部材１の蓋部材６の変形構造］
（１）図３２は第１例を示す断面図である。この蓋部材６では、表面に長手方向に延びた複数の凸部６５１が形成されている。
【０１７６】
この構造によれば、蓋部材６を補強できる。
【０１７７】
（２）図３３は第２例を示す断面図である。この蓋部材６では、裏面に長手方向に延びた複数の凸部６５２が形成されている。
【０１７８】
この構造によっても、蓋部材６を補強できる。
【０１７９】
（３）図３４は第３例を示す断面図である。この蓋部材６では、裏面に長手方向に延びた複数の凸部６５３が形成されており、凸部６５３は、通水部材５に取り付けられた際に排水路５０の底部５１に当接する長さだけ突出している。
【０１８０】
この構造によれば、排水路５０の底部５１上にて、蓋部材６を凸部６５３によって支持できるので、蓋部材６を、上方から加わる圧力に対抗するよう、補強できる。
【０１８１】
（４）図３５は第４例を示す断面図である。この蓋部材６は、３層の積層体からなっており、透明樹脂からなる第１層６６１と、模様が形成された樹脂層である第２層（化粧層）６６２と、着色樹脂からなる第３層６６３と、を備えている。第１層６６１は、表面に複数の凸部６５１を有している。この蓋部材６では、最上層である第１層６６１が透明であるので、表から見ると、第２層６６２すなわち化粧層が見えるようになっている。
【０１８２】
この構造によれば、蓋部材６の意匠性を向上できる。したがって、周囲に配設する床材２の意匠性に見劣りしない意匠性を蓋部材６に持たせることができる。
【０１８３】
なお、この構造において、蓋部材６は、３層に限るものではなく、化粧層のみからなる１層であってもよく、又は、表から化粧層が見えるならば、２層又は４層以上の積層体からなってもよい。
【０１８４】
更に、第１層６６１の透明樹脂は、次の構成を有してもよい。
（ｉ）粒状チップ及び／又は繊維状チップが混入されることにより、模様が構成されている。
（ii）微量の顔料が混入されることにより、着色層となっている。
（iii）上記（ｉ）及び（ii）の両方を備えている。
【０１８５】
また、第２層６６２の模様としては、次の模様を採用してもよい。
（ｉ）粒状チップ及び／又は繊維状チップが混入されることによって構成される模様。
（ii）印刷模様。
（iii）色の異なる樹脂原料を押出成形して作られる模様。
【０１８６】
（５）図３６は第５例を示す断面図である。この蓋部材６は、２層の積層体からなっており、粒状チップ６６４１及び繊維状チップ６６４２が混入された樹脂層である第１層６６４と、抗菌剤及び防カビ剤が混入された樹脂層である第２層（作用層）６６５と、を備えている。
【０１８７】
この構造によれば、最下層である第２層６６５が抗菌剤及び防カビ剤を含有しているので、蓋部材６の裏面がドレイン水中の細菌等によって汚染されて劣化するのを防止できる。
【０１８８】
しかも、この蓋部材６を図３１に示す通水部材６と共に用いると、排水路５０全体がドレイン水中の細菌等によって汚染されて劣化するのを防止できる。
【０１８９】
また、第１層６６４が、粒状チップ６６４１及び繊維状チップ６６４２を含有しているので、それらのチップに基づく模様を呈している。したがって、蓋部材６の意匠性を向上できる。
【０１９０】
なお、この構造において、蓋部材６は、２層に限るものではなく、作用層のみからなる１層であってもよく、又は、最下層が作用層であるならば、３層以上の積層体からなってもよい。
【０１９１】
（６）図３７は第６例を示す断面図である。この蓋部材６は、２層の積層体からなっており、耐紫外線薬剤が混入された樹脂層である第１層（作用層）６６６と、抗菌剤及び防カビ剤が混入された樹脂層である第２層（作用層）６６３と、を備えている。
【０１９２】
この構造によれば、最上層である第１層６６６が耐紫外線薬剤を含有しているので、蓋部材６の表面が紫外線によって劣化するのを防止でき、また、蓋部材６の裏面がドレイン水中の細菌等によって汚染されて劣化するのを防止でき、更に、蓋部材６の裏面の抗菌作用及び防カビ作用が紫外線によって弱められるのを防止できる。
【０１９３】
（７）図３８は第７例を示す断面図である。この蓋部材６は、２層の積層体からなっており、表面に複数の凸部６５１を有する第１層６６８と、裏面に複数の凸部６５２を有する第２層６６９と、を備えており、第１層６６８と第２層６６９とが同一形態を有している。
【０１９４】
この構造によれば、第１層６６８と第２層６６９とが同一形態を有しているので、蓋部材６の表裏を区別する必要がなく、それ故、通水部材５への蓋部材６の取り付け作業が簡単となる。
【０１９５】
また、蓋部材６の一方の面が傷ついた場合には他方の面を表として使用できるので、蓋部材６の寿命を長くできる。
【０１９６】
（８）図３９は第８例を示す断面図である。この蓋部材６は、２層の積層体からなっており、粒状チップ６６４１及び繊維状チップ６６４２が混入された樹脂層である第１層（第１化粧層）６６４と、着色樹脂からなる第２層（第２化粧層）６６３と、を備えており、第１層６６４と第２層６６３とが同一形態を有している。
【０１９７】
この構造によれば、第１層６６４と第２層６６３とで発揮される意匠性が異なるので、１つの蓋部材６によって２つの意匠を発揮できることとなる。したがって、ドレイン排水溝部材１の商品価値を向上できる。
【０１９８】
なお、蓋部材６は、３層以上の積層体であってもよく、その場合においては、少なくとも第１化粧層及び第２化粧層を有し、表から見て第１化粧層が見え且つ裏から見て第２化粧層が見えるよう構成されていればよい。
【０１９９】
（９）図４０は第９例を示す断面図である。この蓋部材６は、２層の積層体からなっており、抗菌剤及び防カビ剤が混入された樹脂層である第１層（作用層）６７１と、抗菌剤及び防カビ剤が混入された樹脂層である第２層（作用層）６７２と、を備えており、第１層６７１と第２層６７２とが同一形態を有している。
【０２００】
この構造によれば、第１層６７１及び第２層６７２のいずれを裏として使用しても、いずれの層も抗菌剤及び防カビ剤を含有しているので、蓋部材６の一方の面の抗菌作用又は防カビ作用が弱まった場合には他方の面の抗菌作用又は防カビ作用を使用でき、それ故、蓋部材６の抗菌作用又は防カビ作用の寿命を長くできる。
【０２０１】
なお、蓋部材６は、３層以上の積層体であってもよく、その場合においては、少なくとも最上層及び最下層に抗菌作用又は防カビ作用を発揮する作用層をそれぞれ有していればよい。
【０２０２】
（１０）図４１は第１０例を示す断面図である。この蓋部材６は、２層の積層体からなっており、耐紫外線薬剤が混入された樹脂層である第１層（作用層）６７３と、耐紫外線薬剤が混入された樹脂層である第２層（作用層）６７４と、を備えており、第１層６７３と第２層６７４とが同一形態を有している。
【０２０３】
この構造によれば、第１層６７３及び第２層６７４のいずれを表として使用しても、いずれの層も耐紫外線薬剤を含有しているので、蓋部材６の一方の面の耐紫外線作用が弱まった場合には他方の面の耐紫外線作用を使用でき、それ故、蓋部材６の耐紫外線作用の寿命を長くできる。
【０２０４】
なお、蓋部材６は、３層以上の積層体であってもよく、その場合においては、少なくとも最上層及び最下層に耐紫外線作用を発揮する作用層をそれぞれ有していればよい。
【０２０５】
上述したドレイン排水溝部材１においては、上述したスライド構造、排水路、及び蓋部材の、各種の変形構造を、任意に組み合わせて使用できる。
【０２０６】
［ドレイン排水溝部材１の変形構造］
（１）図４２は第１例を示す断面図である。このドレイン排水溝部材１では、蓋部材６及び通水部材５が、蓋部材６を通水部材５に取り付けた際に両部材５、６の表面５０１、６０１が同一面を形成するよう構成されている。
【０２０７】
この構造によれば、ドレイン排水溝部材１の形状的意匠をすっきりしたものにできる。しかも、床材２をドレイン排水溝部材１と同じ厚さとすることにより、床材２及びドレイン排水溝部材１の全体を段差のないものにできる。
【０２０８】
［ドレイン連結具３のスライド構造の参考構造］
（１）図４３は第１例を示す断面図である。このスライド構造では、通水部材５の溝部５２１、５３１が、水平に対して傾斜して形成されており、取付部８の両縁部８１、８２も、それに合わせて傾斜している。
【０２０９】
この構造によれば、傾斜している分だけ取付部８に応力が働くので、その分だけ、ドレイン連結具３のスライドを安定して行うことができる。
【０２１０】
（２）図４４は第２例を示す断面図である。このスライド構造では、取付部８の両縁部８１、８２に水平な溝部８１１、８２１がそれぞれ形成されており、排水路５０の両側部５２、５３に突部５２２、５３２がそれぞれ形成されており、取付部８が、その両縁部８１、８２の溝部８１１、８２１に排水路５０の突部５２２、５３２を挿入することによって、通水部材５に対してスライドするようになっている。
【０２１１】
この変形構造によれば、次のような効果を発揮できる。
（ｉ）取付部８の溝部８１１、８２１に通水部材５の突部５２２、５３２が挿入された状態で、取付部８が通水部材５に取り付けられているので、ドレイン連結具３は、利用者の通常の歩行によっても、外れにくい。
（ii）取付部８の溝部８１１、８２１と通水部材５の突部５２２、５３２との間には、取付部８を通水部材５に対してスライドさせるために、遊びが存在している。したがって、次のような効果を発揮できる。
（ii-1）ドレイン連結具３の脱着が困難となることはない。
（ii-2）脱着を繰り返しても、スライドしにくくなったりドレイン連結具３が外れやすくなったりすることはない。
（ii-3）部材が経時的に変形しても、遊びがその変形を吸収するので、ドレイン連結具３のスライドが不可能となることはない。
（ii-4）部材の可撓性が大きくても小さくても、ドレイン連結具３のスライドを円滑に行うことができる。
【０２１２】
（３）図４５は第３例を示す断面図である。この例は、図４４の構造の更なる変形構造である。このスライド構造では、取付部８の溝部８１１、８２１が、水平に対して傾斜して形成されており、通水部材５の突部５２２、５３２も、それに合わせて傾斜している。
【０２１３】
この構造によれば、傾斜している分だけ取付部８に応力が働くので、その分だけ、ドレイン連結具３のスライドを安定して行うことができる。
【０２１４】
［ドレイン連結具３のホース差込孔部７の変形構造］
（１）図４６は第１例である。図４６において、（ａ）は側面図、（ｂ）は背面図である。このホース差込孔部７は、傾斜している。
【０２１５】
この構造によれば、ドレインホース２０４の出口端部２０４１をホース差込孔部７に斜めに安定して差し込むことができる。
【０２１６】
（２）図４７は第２例である。図４７において、（ａ）は側面図、（ｂ）は背面図である。このホース差込孔部７は、湾曲している。
【０２１７】
この構造によれば、ドレインホース２０４の出口端部２０４１をホース差込孔部７から抜けにくくすることができる。
【０２１８】
（３）図４８は第３例である。図４８において、（ａ）は側面図、（ｂ）は背面図である。このホース差込孔部７は、上流側が２つの差込孔部７１、７２に分岐している。
【０２１９】
この構造によれば、現場においてドレインホース２０４が２本存在している場合に、１つのドレイン連結具３によって対処できる。
【０２２０】
なお、ホース差込孔部７は、上流側が３つ以上に分岐してもよい。
【０２２１】
上述したドレイン連結具３においては、スライド構造及びホース差込孔部の各種の変形構造を任意に組み合わせて使用できる。特に、スライド構造に関しては、ドレイン排水溝部材１のスライド構造の各種変形構造を、任意に、且つ、ドレイン排水溝部材１の場合と同様に適用して、使用できる。
【０２２２】
［ドレイン連結具３の変形構造］
（１）図４９及び図５０は第１例である。図４９は斜視図である。図５０において、（ａ）は側面図、（ｂ）は正面図、（ｃ）は背面図である。このドレイン連結具３は、ホース差込孔部７と取付部８とが１個のブロック体３０で構成されている。ホース差込孔部７は、ブロック体３０に形成された貫通孔であり、取付部８は、ブロック体３０の下部である。そして、図５０に示すように、取付部８は、ブロック体３０の下部の両側に形成された突部８５、８６を排水路５０の両側部５２、５３に形成された溝部５２１、５３１に挿入することによって、通水部材５に対してスライドするようになっている。これにより、ドレイン連結具３は、取付部８にて、通水部材５に対して、長手方向にスライドして脱着可能となっている。
【０２２３】
この構造によっても、基本的実施形態においてドレイン連結具３の効果として述べたのと同様の効果を発揮できる。
【０２２４】
また、ホース差込孔部７が傾斜しているので、ドレインホース２０４の出口端部２０４１をホース差込孔部７に斜めに安定して差し込むことができる。
【０２２５】
更に、ブロック体３０の後端部の底部にストッパ８８を備えているので、ホース差込孔部７に差し込まれたドレインホース２０４から排水路５０へ流れ込んでくるドレイン水が、ドレイン連結具３の後方すなわち上流側に流れ出るのが、ストッパ８８によって、止められる。
【０２２６】
［図４９のドレイン連結具３のスライド構造の参考構造］
（１）図５２は第１例を示す断面図である。このスライド構造では、通水部材５の溝部５２１、５３１が、水平に対して傾斜して形成されており、取付部８の突部８５、８６も、それに合わせて傾斜している。
【０２２７】
この構造によれば、傾斜している分だけブロック体３０に応力が働くので、その分だけ、ドレイン連結具３のスライドを安定して行うことができる。
【０２２８】
（２）図５３は第２例を示す断面図である。このスライド構造では、ブロック体３０の下部の両側に水平な溝部８７１、８８１がそれぞれ形成されており、排水路５０の両側部５２、５３に突部５２２、５３２がそれぞれ形成されており、ブロック体３０が、その両側の溝部８７１、８８１に排水路５０の突部５２２、５３２を挿入することによって、通水部材５に対してスライドするようになっている。
【０２２９】
この構造によれば、次のような効果を発揮できる。
（ｉ）ブロック体３０の溝部８７１、８８１に通水部材５の突部５２２、５３２が挿入された状態で、ブロック体３０が通水部材５に取り付けられているので、ドレイン連結具３は、利用者の通常の歩行によっても、外れにくい。
（ii）ブロック体３０の溝部８７１、８８１と通水部材５の突部５２２、５３２との間には、ドレイン連結具３を通水部材５に対してスライドさせるために、遊びが存在している。したがって、次のような効果を発揮できる。
（ii-1）ドレイン連結具３の脱着が困難となることはない。
（ii-2）脱着を繰り返しても、スライドしにくくなったりドレイン連結具３が外れやすくなったりすることはない。
（ii-3）部材が経時的に変形しても、遊びがその変形を吸収するので、ドレイン連結具３のスライドが不可能となることはない。
（ii-4）部材の可撓性が大きくても小さくても、ドレイン連結具３のスライドを円滑に行うことができる。
【０２３０】
（３）図５４は第３例を示す断面図である。この例は、図５３の構造の更なる変形構造である。このスライド構造では、ブロック体３０の溝部８７１、８８１が、水平に対して傾斜して形成されており、通水部材５の突部５２２、５３２も、それに合わせて傾斜している。
【０２３１】
この構造によれば、傾斜している分だけブロック体３０に応力が働くので、その分だけ、ドレイン連結具３のスライドを安定して行うことができる。
【０２３２】
［図４９のドレイン連結具３のホース差込孔部７の変形構造］
（１）図５５は第１例を示す側面図である。このホース差込孔部７は、湾曲している。
【０２３３】
この構造によれば、ドレインホース２０４の出口端部２０４１をホース差込孔部７から抜けにくくすることができる。
【０２３４】
（２）図５６は第２例を示す断面図である。図５６において、（ａ）は側面図、（ｂ）は背面図である。このホース差込孔部７は、上流側が２つの差込孔部７１、７２に分岐している。
【０２３５】
この構造によれば、現場においてドレインホース２０４が２本存在している場合に、１つのドレイン連結具３によって対処できる。
【０２３６】
なお、ホース差込孔部７は、上流側が３つ以上に分岐してもよい。
【０２３７】
図４９のドレイン連結具３においては、スライド構造及びホース差込孔部の各種の変形構造を任意に組み合わせて使用できる。特に、スライド構造に関しては、ドレイン排水溝部材１のスライド構造の各種変形構造を、任意に、且つ、ドレイン排水溝部材１の場合と同様に適用して、使用できる。
【０２３８】
［ドレイン排水設備３００の変形構造］
（１）図５７は第１例を示す断面図である。この構造では、１つのドレイン排水溝部材１に２つのドレイン連結具３を取り付けている。なお、蓋部材６の縁部６３とドレイン連結具３の縁部８３とは当接させて溶着されており、２つのドレイン連結具３の縁部８３、８４同士も当接させて溶着されている。
【０２３９】
この構造によれば、現場においてドレインホース２０４が２本存在している場合に、１つのドレイン排水溝部材１によって対処できる。
【０２４０】
なお、１つのドレイン排水溝部材１に３つ以上のドレイン連結具３を取り付けてもよい。
【０２４１】
［屋外床面設備１００の変形構造］
（１）図５８は第１例を示す断面図である。この構造では、ドレイン排水溝部材１の蓋部材６として、共に使用される床材２から切り取ったものを用いている。
【０２４２】
この構造によれば、蓋部材６を現場で調達できる。また、ドレイン排水溝部材１と床材２との意匠性を同じにできるので、屋外床面設備１００の意匠性をまとまりのあるものにできる。
【０２４３】
（２）図５９は第２例を示す断面図である。この構造では、ドレイン排水溝部材１の通水部材５が、両側部５２、５３の上縁から横方向に張り出した張出部５２３、５３３を有しており、張出部５２３、５３３が、それぞれ、隣接する床材２の縁部２１、２１上に載せられて縁部２１、２１に溶着されている。
【０２４４】
この構造によれば、ドレイン排水溝部材１の通水部材５の両側部５２、５３と隣接する床材２の縁部２１、２１との間に、隙間２９があっても、張出部５２３、５３３によって隙間２９を塞ぐことができる。したがって、ドレイン排水溝部材１と床材２との間の正確な寸法合わせを不要にでき、設置の作業性を向上できる。
【産業上の利用可能性】
【０２４５】
本発明のドレイン排水溝部材は、蓋部材の脱着作業を、蓋部材をスライドさせるだけで容易に行うことができるので、産業上の利用価値が大なるものである。
【図面の簡単な説明】
【０２４６】
【図１】本発明の屋外床面設備の一例を示す部分断面斜視図である。
【図２】ドレイン排水設備の斜視図である。
【図３】ドレイン排水溝部材の斜視図である。
【図４】図３のIV−IV断面図である。
【図５】蓋部材を長手方向にスライドさせた状態のドレイン排水溝部材の斜視図である。
【図６】ドレイン連結具の拡大斜視図である。
【図７】図２のVII−VII断面図である。
【図８】ドレイン連結具を長手方向にスライドさせた状態のドレイン排水設備の斜視図である。
【図９】図３のドレイン排水溝部材のスライド構造の変形構造の第１例（参考例）を示す断面図である。
【図１０】図３のドレイン排水溝部材のスライド構造の変形構造の第２例（参考例）を示す断面図である。
【図１１】図３のドレイン排水溝部材のスライド構造の変形構造の第３例（参考例）を示す断面図である。
【図１２】図３のドレイン排水溝部材のスライド構造の変形構造の第４例（参考例）を示す断面図である。
【図１３】図３のドレイン排水溝部材のスライド構造の変形構造の第５例を示す断面図である。
【図１４】図３のドレイン排水溝部材のスライド構造の変形構造の第６例を示す断面図である。
【図１５】図３のドレイン排水溝部材のスライド構造の変形構造の第７例を示す断面図である。
【図１６】図３のドレイン排水溝部材のスライド構造の変形構造の第８例を示す断面図である。
【図１７】図３のドレイン排水溝部材のスライド構造の変形構造の第９例（参考例）を示す断面図である。
【図１８】図３のドレイン排水溝部材のスライド構造の変形構造の第１０例（参考例）を示す断面図である。
【図１９】図３のドレイン排水溝部材のスライド構造の変形構造の第１１例（参考例）を示す断面図である。
【図２０】図３のドレイン排水溝部材のスライド構造の変形構造の第１２例（参考例）を示す断面図である。
【図２１】図３のドレイン排水溝部材のスライド構造の変形構造の第１３例（参考例）を示す断面図である。
【図２２】図３のドレイン排水溝部材のスライド構造の変形構造の第１４例（参考例）を示す断面図である。
【図２３】図３のドレイン排水溝部材のスライド構造の変形構造の第１５例（参考例）を示す断面図である。
【図２４】図３のドレイン排水溝部材のスライド構造の変形構造の第１６例（参考例）を示す断面図である。
【図２５】図３のドレイン排水溝部材の排水路の変形構造の第１例を示す断面図である。
【図２６】図３のドレイン排水溝部材の排水路の変形構造の第２例を示す断面図である。
【図２７】図３のドレイン排水溝部材の排水路の変形構造の第３例を示す断面図である。
【図２８】図３のドレイン排水溝部材の排水路の変形構造の第４例を示す断面図である。
【図２９】図３のドレイン排水溝部材の排水路の変形構造の第５例を示す断面図である。
【図３０】図３のドレイン排水溝部材の排水路の変形構造の第６例を示す断面図である。
【図３１】図３のドレイン排水溝部材の排水路の変形構造の第７例を示す断面図である。
【図３２】図３のドレイン排水溝部材の蓋部材の変形構造の第１例を示す断面図である。
【図３３】図３のドレイン排水溝部材の蓋部材の変形構造の第２例を示す断面図である。
【図３４】図３のドレイン排水溝部材の蓋部材の変形構造の第３例を示す断面図である。
【図３５】図３のドレイン排水溝部材の蓋部材の変形構造の第４例を示す断面図である。
【図３６】図３のドレイン排水溝部材の蓋部材の変形構造の第５例を示す断面図である。
【図３７】図３のドレイン排水溝部材の蓋部材の変形構造の第６例を示す断面図である。
【図３８】図３のドレイン排水溝部材の蓋部材の変形構造の第７例を示す断面図である。
【図３９】図３のドレイン排水溝部材の蓋部材の変形構造の第８例を示す断面図である。
【図４０】図３のドレイン排水溝部材の蓋部材の変形構造の第９例を示す断面図である。
【図４１】図３のドレイン排水溝部材の蓋部材の変形構造の第１０例を示す断面図である。
【図４２】図３のドレイン排水溝部材の変形構造の第１例を示す断面図である。
【図４３】図６のドレイン連結具のスライド構造の変形構造の第１例（参考例）を示す断面図である。
【図４４】図６のドレイン連結具のスライド構造の変形構造の第２例（参考例）を示す断面図である。
【図４５】図６のドレイン連結具のスライド構造の変形構造の第３例（参考例）を示す断面図である。
【図４６】図６のドレイン連結具のホース差込孔部の変形構造の第１例を示し、（ａ）は側面図、（ｂ）は背面図である。
【図４７】図６のドレイン連結具のホース差込孔部の変形構造の第２例を示し、（ａ）は側面図、（ｂ）は背面図である。
【図４８】図６のドレイン連結具のホース差込孔部の変形構造の第３例を示し、（ａ）は側面図、（ｂ）は背面図である。
【図４９】ドレイン連結具の変形構造の第１例を示す斜視図である。
【図５０】図４９のドレイン連結具を示し、（ａ）は側面図、（ｂ）は正面図、（ｃ）は背面図である。
【図５１】図４９のドレイン連結具を通水部材に取り付けた状態を示す断面図である。
【図５２】図４９のドレイン連結具のスライド構造の変形構造の第１例（参考例）を示す断面図である。
【図５３】図４９のドレイン連結具のスライド構造の変形構造の第２例（参考例）を示す断面図である。
【図５４】図４９のドレイン連結具のスライド構造の変形構造の第３例（参考例）を示す断面図である。
【図５５】図４９のドレイン連結具のホース差込孔部の変形構造の第１例を示す側面図である。
【図５６】図４９のドレイン連結具のホース差込孔部の変形構造の第２例を示す側面図である。
【図５７】ドレイン排水設備の変形構造の第１例を示す断面図である。
【図５８】屋外床面設備の変形構造の第１例を示す断面図である。
【図５９】屋外床面設備の変形構造の第２例を示す断面図である。
【符号の説明】
【０２４７】
１  ドレイン排水溝部材  ２  床材  ２１  縁部  ２００  屋外  ２０１  床面  ２０４  ドレインホース  ２０４１  出口端部  ３  ドレイン連結具  ３０  ブロック体  ３００  ドレイン排水設備  ５  通水部材  ５０  排水路  ５０１、６０１  表面  ５１  底部  ５１１  幅狭領域  ５１２  幅広領域  ５２、５３  側部  ５２１、５３１  溝部  ５２２、５３２  突部  ５２３、５３３  張出部  ５５７  リブ  ５６１、６６６、６７１、６７２、６７３、６７４  作用層  ５２１１、５２１２、５２２３、５２２４、５３２３、５３２４、５３１１、５３１２、６１１１、６１１２、６２１２、６２１２、６１７、６１８、６２７、６２８  凹部  ５２１３、５２１４、５２２１、５２２２、５３２１、５３２２、５３１３、５３１４、６１１３、６１１４、６２１３、６２１４、６１５、６１６、６２５、６２６  凸部  ５９１、５９２、５９３、５９４、５９５、５９６  突出部  ６  蓋部材  ６１、６２  縁部  ６１１、６２１  溝部  ６５１、６５２、６５３  凸部  ６６２、６６３、６６４  化粧層  ７  ホース差込孔部  ８  取付部  ８１、８２  縁部  ８１１、８２１  溝部  ８５、８６  突部  ８７１、８８１  溝部
【図１】
0004818684.tif 000002
【図２】
0004818684.tif 000003
【図３】
0004818684.tif 000004
【図４】
0004818684.tif 000005
【図５】
0004818684.tif 000006
【図６】
0004818684.tif 000007
【図７】
0004818684.tif 000008
【図８】
0004818684.tif 000009
【図９】
0004818684.tif 000010
【図１０】
0004818684.tif 000011
【図１１】
0004818684.tif 000012
【図１２】
0004818684.tif 000013
【図１３】
0004818684.tif 000014
【図１４】
0004818684.tif 000015
【図１５】
0004818684.tif 000016
【図１６】
0004818684.tif 000017
【図１７】
0004818684.tif 000018
【図１８】
0004818684.tif 000019
【図１９】
0004818684.tif 000020
【図２０】
0004818684.tif 000021
【図２１】
0004818684.tif 000022
【図２２】
0004818684.tif 000023
【図２３】
0004818684.tif 000024
【図２４】
0004818684.tif 000025
【図２５】
0004818684.tif 000026
【図２６】
0004818684.tif 000027
【図２７】
0004818684.tif 000028
【図２８】
0004818684.tif 000029
【図２９】
0004818684.tif 000030
【図３０】
0004818684.tif 000031
【図３１】
0004818684.tif 000032
【図３２】
0004818684.tif 000033
【図３３】
0004818684.tif 000034
【図３４】
0004818684.tif 000035
【図３５】
0004818684.tif 000036
【図３６】
0004818684.tif 000037
【図３７】
0004818684.tif 000038
【図３８】
0004818684.tif 000039
【図３９】
0004818684.tif 000040
【図４０】
0004818684.tif 000041
【図４１】
0004818684.tif 000042
【図４２】
0004818684.tif 000043
【図４３】
0004818684.tif 000044
【図４４】
0004818684.tif 000045
【図４５】
0004818684.tif 000046
【図４６】
0004818684.tif 000047
【図４７】
0004818684.tif 000048
【図４８】
0004818684.tif 000049
【図４９】
0004818684.tif 000050
【図５０】
0004818684.tif 000051
【図５１】
0004818684.tif 000052
【図５２】
0004818684.tif 000053
【図５３】
0004818684.tif 000054
【図５４】
0004818684.tif 000055
【図５５】
0004818684.tif 000056
【図５６】
0004818684.tif 000057
【図５７】
0004818684.tif 000058
【図５８】
0004818684.tif 000059
【図５９】
0004818684.tif 000060